(57)【要約】  【課題】高い脱臭・除菌性能を維持しうる直冷式冷蔵庫の提供。  【解決手段】内部に貯蔵室を形成する正面に開口部を備える矩形の断熱箱体１０１と、前記開口部に開閉自在に取り付けられる断熱扉１０７と、断熱箱体１０１内の空気を直接冷却する冷却器１１０とを備える直冷式冷蔵庫１００であって、断熱箱体１０１内に配置され、光触媒が担持される担持体２０１と、前記光触媒を励起する励起光を担持体２０１に照射する照射手段２０２と、断熱箱体１０１内の空気を担持体２０１に向かって強制的に送風する送風ファン２０３とを備え、送風ファン２０３により発生する空気の流れの上流から、送風ファン２０３、担持体２０１、冷却器１１０の順で配置されている。【選択図】図２
2009030920.tif 000002
【特許請求の範囲】
【請求項１】
断熱材で構成され、内部に貯蔵室を形成する正面に開口部を備える矩形の箱本体と、前記開口部に開閉自在に取り付けられる扉体と、前記箱本体内の空気を直接冷却する冷却手段とを備える直冷式冷蔵庫であって、前記貯蔵室内に配置され、光触媒が担持される担持体と、前記光触媒を励起する励起光を前記担持体に照射する照射手段と、前記貯蔵室内の空気を前記担持体に向かって強制的に送風する送風手段とを備え前記送風手段により発生する空気の流れの上流から、前記送風手段、前記担持体、前記冷却手段の順で配置されている直冷式冷蔵庫。
【請求項２】
前記貯蔵室内の臭気を吸着保持する吸着フィルタを備え、前記吸着フィルタは、前記担持体の下流側であって前記冷却手段の上流側に配置されている請求項１に記載の直冷式冷蔵庫。
【請求項３】
前記冷却手段は、前記箱本体の内部奥壁側に取り付けられ、前記担持体と、前記照射手段と、前記送風手段とは、前記箱本体の天井側に取り付けられる請求項１に記載の直冷式冷蔵庫。
【請求項４】
前記担持体が担持する光触媒は、酸化銀である請求項１に記載の直冷式冷蔵庫。
【発明の詳細な説明】
【技術分野】
【０００１】
本発明は、貯蔵室内を直接冷却する直冷式冷蔵庫に関し、特に、貯蔵室内を除菌、消臭可能な直冷式冷蔵庫に関する。
【背景技術】
【０００２】
従来、小型の冷蔵庫やヨーロッパなどの乾燥地域で使用される冷蔵庫は、貯蔵室内の結露対策があまり重要とはならないため、貯蔵室内の空気を直接冷却パネルなどで冷却する直接冷却方式が一般的に採用されている。例えば、特許文献１には、直接冷却方式が採用された冷蔵庫が開示されている。
【０００３】
図６は、断熱部分を取り除いた直冷式冷蔵庫を模式的に背部から示した図である。
【０００４】
同図に示すように、直冷式冷蔵庫１００は、貯蔵室の奥壁の内側に、冷却パイプ１２１を蛇行状に備えている。そして、当該冷却パイプ１２１の内部に低温で液体の冷却剤が流通することにより、貯蔵室内の空気が直接冷却される。
【０００５】
また、特許文献２においては、直冷式冷蔵庫であって、貯蔵室内の細菌やカビの繁殖を抑制することのできる直冷式冷蔵庫が開示されている。
【０００６】
図７は、細菌やカビの繁殖を抑制する機能を備えた直冷式冷蔵庫の断面図である。
【０００７】
同図に示すように、直冷式冷蔵庫１００は、貯蔵室内の天井に有機系揮発性抗菌剤を含むシート１２２が取り付けられている。そして、シート１２２から有機系揮発性抗菌剤を徐々に蒸発させることにより、貯蔵室内の細菌やカビの繁殖を抑制しようとしている。
【特許文献１】特開平７−１２０１０８号公報
【特許文献２】特開平１０−２６２６２９号公報
【発明の開示】
【発明が解決しようとする課題】
【０００８】
ところが、直冷式冷蔵庫の場合、例えば、貯蔵室の奥面で冷却された空気は、密度が高いため貯蔵室の下部に溜まってしまい、貯蔵室内の上下方向に温度ムラが生じてしまうという問題を有している。特に、貯蔵室を上下に仕切る棚板を設け、食品などが満載された場合、貯蔵室内の温度ムラが顕著になる。
【０００９】
また、貯蔵室内で空気がよどむため、細菌やカビなどが局所的に高濃度で繁殖する問題も有している。
【００１０】
さらに、前記細菌やカビの対策として有機性揮発性抗菌剤を用いる提案はあるが、抗菌剤の蒸発量には限界がある。従って、前記抗菌剤を定期的に交換する必要が生じ、手間となる。また、貯蔵室内の対流を望めない直冷式冷蔵庫では、抗菌剤も貯蔵室内の一部に滞留し、貯蔵室内全体に殺菌などの効果を及ぼすことができないことが懸念される。また、食品を保存する貯蔵室に対して有機系の抗菌剤を適用すること自体に問題もある。
【００１１】
本発明者らは、上記問題に鑑み、光触媒を用いて除菌する直冷式冷蔵庫を見出だすに至り、本発明について別途出願している。
【００１２】
そして、本発明者らはさらに、除菌や消臭の効率を上昇させるべく鋭意研究と実験の結果、直冷式冷蔵庫内における温度勾配に着目し、光触媒等の最適な配置を見出だすに至った。
【００１３】
本発明は、上述のようになされたものであって、脱臭や除菌の効果を効率よく発揮させることのできる最適な配置を備えた直冷式冷蔵庫を提供することを目的としている。
【課題を解決するための手段】
【００１４】
上記目的を達成するために、本願発明にかかる直冷式冷蔵庫は、断熱材で構成され、内部に貯蔵室を形成する正面に開口部を備える矩形の箱本体と、前記開口部に開閉自在に取り付けられる扉体と、前記箱本体内の空気を直接冷却する冷却手段とを備える直冷式冷蔵庫であって、前記貯蔵室内に配置され、光触媒が担持される担持体と、前記光触媒を励起する励起光を前記担持体に照射する照射手段と、前記貯蔵室内の空気を前記担持体に向かって強制的に送風する送風手段とを備え前記送風手段により発生する空気の流れの上流から、前記送風手段、前記担持体、前記冷却手段の順で配置されていることを特徴とする。
【００１５】
これにより、比較的高温の空気を担持体に接触させることができ、担持体に結露が発生することを抑制できる。従って、光触媒の機能低下を抑えて効率良く除菌、消臭を行うことが可能となる。
【００１６】
また、当該配置を採用することで、冷却手段によって発生する自然対流を阻害することがなく、自然対流を促進する方向に空気の流れを形成することができるため、貯蔵室内の温度ムラを高効率で解消することが可能となる。
【００１７】
このように、本発明にかかる直冷式冷蔵庫は、比較的高温となっている空気を低温側に向かって送風する。これにより、貯蔵室内の自然対流を補強することができる。また、比較的高温の空気に対して光触媒を作用させるため、除菌、消臭を効率よく実行することができる。
【発明の効果】
【００１８】
本発明にかかる直冷式冷蔵庫は、除菌、消臭を効率よく実行することができるので、より除菌、消臭効果の高い品質の高い冷蔵庫を提供することができる。
【発明を実施するための最良の形態】
【００１９】
次に、本発明にかかる直冷式冷蔵庫の実施の形態について、図面を参照しつつ説明する。
【００２０】
（実施の形態１）
図１は、本発明の実施の形態１における直冷式冷蔵庫の正面図である。
【００２１】
同図に示すように、本実施の形態にかかる直冷式冷蔵庫１００は、観音開き式の扉を備える直冷式冷蔵庫１００であり、箱本体としての断熱箱体１０１内に上下に区画された貯蔵室を備えている。
【００２２】
直冷式冷蔵庫１００の内の上下に区画された貯蔵室は、その機能（冷却温度）によって冷蔵室１０２と、冷凍室１０３と称される。
【００２３】
冷蔵室１０２の前面開口部には、扉体としての例えばウレタンのような発泡断熱材を発泡充填した回転式の断熱扉１０７が設けられている。また、同様に冷凍室１０３の前面にも断熱扉１０８が設けられている。これらにより冷気の漏れがないように貯蔵室を開閉可能に密閉している。
【００２４】
冷蔵室１０２は、冷蔵保存のために凍らない程度の低い温度に維持される貯蔵室である。具体的な温度の下限としては、通常１〜５℃で設定されている。
【００２５】
冷凍室１０３は、冷凍温度帯に設定される貯蔵室である。具体的には、冷凍保存のために通常−２２〜−１８℃で設定されているが、冷凍保存状態の向上のために、たとえば−３０や−２５℃の低温で設定されることもある。
【００２６】
図２は、本実施の形態における直冷式冷蔵庫を模式的に示す縦断面図である。
【００２７】
断熱箱体１０１は、外箱と内箱の間に例えば硬質発泡ウレタンなどの断熱材を充填して形成される箱体である。この断熱箱体１０１は、周囲から断熱箱体１０１内部を断熱している。
【００２８】
断熱箱体１０１の内側には、冷却手段としての冷却器１１０が断熱箱体１０１に埋設されている。
【００２９】
冷却器１１０は、圧縮機１１１などと共に冷却サイクルを形成し、冷却器１１０内部に挿通される冷媒が蒸発することで断熱箱体１０１内部の空気の熱を奪い、断熱箱体１０１内部を直接冷却する部材である。
【００３０】
除菌装置２００は、光触媒が担持される担持体２０１と、前記光触媒を励起する励起光を前記担持体に照射する照射手段２０２と、送風手段としての送風ファン２０３と、吸着フィルタとしての脱臭フィルタ２０４と、流路形成手段としての基体２０５とを備えている。
【００３１】
送風ファン２０３は、除菌装置２００において、最も断熱扉１０７側に配置されている。また、送風ファン２０３により、図中矢印で示す方向に空気が送風される。
【００３２】
脱臭フィルタ２０４は、除菌装置２００において、最も冷却器１１０側に配置されている。
【００３３】
担持体２０１は、送風ファン２０３と脱臭フィルタ２０４との間に配置されている。
【００３４】
また、担持体２０１と、照射手段２０２と、送風ファイン２０３と、脱臭フィルタ２０４とは、断熱箱体１０１の天井に取り付けられている。
【００３５】
次に、除菌装置２００について詳細に説明する。
【００３６】
図３は、直冷式冷蔵庫に取り付けられた状態の除菌装置を示す断面図である。
【００３７】
図４は、直冷式冷蔵庫に取り付けられた状態の除菌装置を示す底面図である。
【００３８】
本実施の形態にかかる除菌装置２００は、断熱箱体１０１内の空気中に存在する菌や胞子などを強制的に除菌するとともに、空気中に存在する有機物質を分解して脱臭をも実現することができる装置である。
【００３９】
担持体２０１は、空気と多く接触できるような多孔質からなる樹脂製の部材であり、光触媒が練り込まれた繊維が絡み合って形成されるフィルタ状の部材である。また、基材である樹脂は、光触媒が励起させやすい波長の光を透過できる樹脂が採用されている。
【００４０】
担持体２０１に担持される光触媒は、特定の波長の光が照射されることによって、空気中の細菌を除菌したり、空気中の臭気成分（有機物質など）を酸化や分解等をして脱臭することができる触媒であり、空気中の成分を活性化（例えば、イオン化やラジカル化）し、これに基づいて除菌したり、脱臭したりすることができると考えられている物質である。具体的に光触媒としては、酸化銀や酸化チタンを例示することができる。
【００４１】
酸化銀が除菌などの機能を発揮するために必要な光の波長は約４００ｎｍ〜５８０ｎｍ程度の可視光の青色領域である。また、酸化チタンが除菌などの機能を発揮するために必要な光の波長は３８０ｎｍである。
【００４２】
照射手段２０２は、光触媒を励起することのできる波長を含む光を放射することのできる光源２０７と、光源２０７を点灯させるための点灯基板（図示せず）などを備える装置である。
【００４３】
光源２０７は、上記波長の光を含む波長の光が所定量発光できるものであれば良く、紫外線ランプや通常の電球などを例示することができる。また、光触媒が酸化銀の場合、可視光領域の青色（４７０ｎｍ）が発光するＬＥＤを採用することで、長寿命化、低コスト化を図ることが可能となる。また、光触媒が酸化チタンの場合、３８０ｎｍのＵＶ光を発光するＵＶ−ＬＥＤを採用することも可能である。
【００４４】
本実施の形態の場合、光触媒として酸化銀を採用し、照射手段２０２の光源２０７としてのＬＥＤを細長い基板上に３個並んで配置したものを採用している。
【００４５】
送風ファン２０３は、中心にモータが配置され、一定方向に曲げられた複数枚の羽が前記モータの回転軸に放射状に取り付けられたものであり、前記モータと羽が一つのケーシング内に納められたものである。そして送風ファン２０３は、電源の投入により前記モータが回転し、モータによって駆動される羽が一定方向に空気を送風する機能を有している。
【００４６】
脱臭フィルタ２０４は、断熱箱体１０１内に存在する臭気成分を吸着して除去する吸着フィルタとしての機能を有するものである。具体的には、脱臭フィルタ２０４として、活性炭で構成されるハニカム構造の部材等を例示することができる。このような脱臭フィルタ２０４は、ハニカム構造の孔に空気を挿通させることで、空気内に存在する臭気成分を吸着させることができる。
【００４７】
基体２０５は、担持体２０１と、送風ファン２０３と、脱臭フィルタ２０４とを保持することができる樹脂で形成された部材である。担持体２０１と、送風ファン２０３と、脱臭フィルタ２０４とが取り付けられた状態の基体２０５を断熱箱体１０１の所定の場所にねじ止めすることにより、断熱箱体１０１内部に除菌装置２００が形成される。
【００４８】
基体２０５が断熱箱体１０１に取り付けられた状態においては、基体２０５は、送風ファン２０３により空気が基体２０５内部に導入される部分と、導入された空気が基体２０５外部に導出される部分以外は、基体２０５から空気が漏れない（漏れにくい）構造となっている。従って、断熱箱体１０１と基体２０５との間で送風ファン２０３により送風される空気の流路が形成される。
【００４９】
基体２０５は、担持体２０１の最も広い面が断熱箱体１０１側に取り付けられた照射手段２０２に面するように担持体２０１を保持している。
【００５０】
基体２０５は、担持体２０１が直接基体２０５に接触しないように、基体２０５から離れた状態で保持している。具体的には基体２０５から延びた細い複数の柱状部材の先端に担持体２０１が取り付けられている。これにより、担持体２０１は、ほぼ宙に浮いた状態となり、担持体２０１のほぼ全面積と送風ファン２０３により導入された空気とを接触させることが可能となる。また、基体２０５の他の部分と接触しない態様とすることで、基体２０５に発生した結露が担持体２０１に移ることを可及的に防止している。また、担持体２０１が流通する空気になびいたり、重力などで担持体２０１が撓むことがないように保持されて、担持体２０１の表面がまっすぐに維持されているため、照射手段２０２からの光が届かない影の部分が発生することがなく、効率よく担持体２０１に担持された光触媒を励起することが可能となっている。
【００５１】
基体２０５は、送風ファン２０３と脱臭フィルタ２０４とを断熱箱体１０１に取り付けられた状態で断熱箱体１０１の面に対して寝かした状態となるように保持している。このように送風ファン２０３と脱臭フィルタ２０４を水平方向に対して寝かせた状態とすることで、除菌装置２００の断熱箱体１０１内部への突出を可及的に少なくすると共に、大容量の空気を除菌装置２００に導入することができ、また、前記大容量の空気を広い表面積を備えた脱臭フィルタ２０４に通過させることが可能となる。
【００５２】
断熱箱体１０１の除菌装置２００が取り付けられる部分は、凹陥した凹陥部１２０が形成されており、他の部分に比べて断熱材が薄くなっている。
【００５３】
凹陥部１２０に除菌装置２００を取り付けることにより、除菌装置２００が断熱箱体１０１に突出するのを防ぐことができ、断熱箱体１０１内部の容積の現象を可及的に抑えることが可能となる。加えて、断熱材が薄くなっていることから、除菌装置２００の温度を他の部分より上昇させることができ、効率よく除菌を行うことが可能となる。
【００５４】
断熱箱体１０１の凹陥部１２０の底部には照射手段２０２が取り付けられているが、当該部分は担持体２０１と照射手段２０２との距離が狭くなるように突出している。
【００５５】
さらに、除菌装置２００が取り付けられている凹陥部１２０の手前には、照明装置３００が取り付けられている。当該照明装置３００は、複数のＬＥＤからなり、断熱箱体１０１内部を前方（断熱扉１０７側）から後方（断熱箱体１０１奥壁側）に向けて照明する装置である。
【００５６】
図５は、除菌装置、および、照明装置をカバー部材で覆った状態を示す底面図である。
【００５７】
カバー部材２０６は、断熱箱体１０１に取り付けられた除菌装置２００全体を覆うことのできる板状の部材であり、空気導入口２１１と空気導出口２１２とを備えている。また、空気導入口２１１と空気導出口２１２には空気の流れを制御するルーバーが複数枚取り付けられている。カバー部材２０６は、除菌装置２００を覆い隠すことにより意匠性の向上を図ると共に、除菌装置２００と所定の距離を隔てて配置されていることで除菌装置２００を断熱箱体１０１内部の冷気から隔てている。従って、カバー部材２０６により、除菌装置２００が結露し性能が低下するのを防止している。また、カバー部材２０６は、断熱箱体１０１に埋設される照明装置３００も覆っている。
【００５８】
カバー部材２０６は照明装置３００と対向する部分は透明でそれ以外は半透明の磨りガラス状となっており、基体２０５は、全体が半透明の磨りガラス状となっている。これにより、光源２０７から照射される可視光の一部や除菌装置２００内部で反射した可視光の反射光が断熱箱体１０１内部に漏れ出すようになっている。これにより、除菌がなされていることを確認することができ、照射手段２０２が故障しているか否かを外部から確認可能となっている。
【００５９】
以上のように構成された直冷式冷蔵庫１００について、以下その動作、作用を説明する。
【００６０】
断熱箱体１０１内部に存在する臭気成分（有機物質等）や細菌を含んだ空気は、送風ファン２０３の送風力により、カバー部材２０６の空気導入口２１１を通過し、送風ファン２０３を経て除菌装置２００の内部に導入される。導入される空気は、冷却器１１０から最も遠く、かつ、断熱箱体１０１内の最も高いところに存在している空気であり、断熱箱体１０１内で最も温度が高い空気であると考えられる。
【００６１】
さらに、除菌装置２００に導入された空気は、断熱箱体１０１の凹陥部１２０、つまり、断熱材の薄い部分を通過して伝わる熱や、照射手段２０２で発生する熱、照明装置３００で発生する熱などによって温度が上昇し、除菌、消臭に適した温度となる。また、断熱扉１０７が開かれて、外気が断熱箱体１０１内部に入り込み、除菌装置２００内部に導入されたとしても、除菌装置２００全体の温度が高まっているため、結露が発生しない状態となっている。
【００６２】
以上のような状態の空気は、担持体２０１の最も面積の大きな面を舐めるように通過する。ここで、照射手段２０２とこれに対向する基体２０５とで挟まれる流路は、他の部分より狭く設定されているため、空気は担持体２０１と多く接触する。空気中に含まれる臭気成分や細菌は、担持体２０１の表面に捕捉される。捕捉された臭気成分や菌は、酸化銀の通常の（光触媒作用ではない）触媒作用による酸化分解および、除菌作用にて、脱臭・除菌される。これによって、光を照射しない時にも酸化銀の作用にて臭気分解、除菌作用が発揮されるため、所望の脱臭・除菌効果を確保しつつ光の照射量や時間を減じることができ、照射手段の寿命の長期化や省エネ効果を高めることができる。さらに、光源２０７から照射される光エネルギー（青色や紫外光）によって、これらの波長領域に吸収スペクトルを有する酸化銀が青色光の光エネルギーにて励起し、担持体２０１表面の光触媒が励起される。光触媒が励起すると、空気中の水分よりＯＨラジカルが発生し、担持体２０１に捕捉されたり担持体２０１近傍に存在する臭気成分の酸化分解と細菌の溶菌が行なわれる。
【００６３】
上記触媒作用により、除菌、脱臭される空気は、断熱箱体１０１内の最も温度が高い空気である。従って、除菌、消臭の効率が最も高いと考えられる。
【００６４】
さらに、担持体表面では分解しきれなかった臭気成分などは、空気と共にハニカム構造の脱臭フィルタ２０４の孔を通過し、脱臭フィルタ２０４に吸着され保持される。
【００６５】
以上により除菌装置２００を通過した空気は、脱臭・除菌されたクリーンな空気となってカバー部材２０６の空気導出口２１２から断熱箱体１０１内部に吹き出される。従って、当該除菌を継続すれば、断熱箱体１０１全体の細菌数を減少させ、臭気成分を減少させることが可能となる。
【００６６】
吹き出された空気は、冷却器１１０に向かって吹き出されるため、冷却器１１０に直接触れて食品などの貯蔵に適した温度まで冷却される。従って、除菌装置２００内で一旦温度が上昇しても、断熱箱体１０１内部に吹き出された後は冷却されるため、貯蔵されている食品などに悪影響を及ぼすことはない。
【００６７】
一方、断熱箱体１０１内部においては、除菌装置２００への空気の導入と、除菌装置２００からの空気の導出により、空気の全体的な対流が促進される。つまり、断熱箱体１０１内の奥壁にある冷却器１１０により冷却された空気は、比重が高くなるため断熱箱体１０１の底部に落ちていく、これに伴い、貯蔵されている食品や、断熱扉１０７などを通過した熱により温度が上がった空気は、断熱箱体１０１の天井と断熱扉１０７とで囲まれた部分に向かって上昇する。送風ファン２０３は、断熱箱体１０１内部で発生する、前述のような非常に緩やかな対流に対し、逆らうことなく対流を促進する方向に空気を送風する。結果として、強制的で強力な対流が断熱箱体１０１内部に生じることとなる。
【００６８】
従って、冷気が断熱箱体１０１の底部に溜まることを防止し、断熱箱体１０１の内部の温度を均一にすることが可能となる。さらに、除菌装置２００によって生成されたＯＨラジカルは、空気とともに断熱箱体１０１内部を対流し、断熱箱体１０１内においても脱臭・除菌を行う。
【００６９】
以上により、直冷式冷蔵庫は、除菌装置２００により有機系除菌剤などを使用することなく、物理的に除菌、消臭をすることができる。有機系除菌剤による人体などの影響を考慮する必要が無くなる。また、光触媒は、光触媒自体が変化することなく除菌、消臭をすることができるため、半永久的に効果を維持することが可能である。
【００７０】
なお、担持体２０１の最も面積の広い面を鉛直面と平行に保持しても構わない。このように担持体を配置すれば、担持体２０１が結露した場合でも、最も面積の広い面に結露した水分は、重力により下方に引っ張られ最も面積の広い部分は水が切られた状態となる。従って、結露した水分に邪魔されることなく分岐された空気に対し光触媒により除菌や脱臭を施すことが可能となる。
【００７１】
本願発明にかかる直冷式冷蔵庫は、断熱材で構成され、内部に貯蔵室を形成する正面に開口部を備える矩形の箱本体である断熱箱体１０１と、開口部に開閉自在に取り付けられる扉体と、箱本体内の空気を直接冷却する冷却手段としての冷却器１１０とを備える直冷式冷蔵庫であって、貯蔵室内に配置され、光触媒が担持される担持体２０１と、光触媒を励起する励起光を担持体２０１に照射する照射手段と、貯蔵室内の空気を担持体に向かって強制的に送風する送風手段とを備え送風手段である送風ファン２０３により発生する空気の流れの上流から、送風ファン２０３、担持体２０１、冷却手段の順で配置されていることを特徴とする。
【００７２】
これにより、比較的高温の空気を担持体に接触させることができ、担持体２０１に結露が発生することを抑制できる。従って、光触媒の機能低下を抑えて効率良く除菌、消臭を行うことが可能となる。
【００７３】
また、当該配置を採用することで、冷却手段によって発生する自然対流を阻害することがなく、自然対流を促進する方向に空気の流れを形成することができるため、貯蔵室内の温度ムラを高効率で解消することが可能となる。
【００７４】
さらに、貯蔵室内の臭気を吸着保持する吸着フィルタを備え、吸着フィルタは、前記担持体の下流側であって前記冷却手段の上流側に配置されていることが好ましい。
【００７５】
これにより、より脱臭効果などを高めることができ、さらに、担持体の下流に配置することで、光触媒で処理された残りの臭気を保持するだけで済み、吸着フィルタの寿命を延長することが可能となる。
【００７６】
以上のように、本発明にかかる直冷式冷蔵庫は、比較的高温となっている空気を低温側に向かって送風する。これにより、貯蔵室内の自然対流を補強することができる。また、比較的高温の空気に対して光触媒を作用させるため、除菌、消臭を効率よく実行することができる。
【産業上の利用可能性】
【００７７】
本発明は、直冷式冷蔵庫に利用可能である。
【図面の簡単な説明】
【００７８】
【図１】本発明の実施の形態１における直冷式冷蔵庫の正面図
【図２】同実施の形態における直冷式冷蔵庫を模式的に示す縦断面図
【図３】同実施の形態における直冷式冷蔵庫に取り付けられた状態の除菌装置を示す断面図
【図４】同実施の形態における直冷式冷蔵庫に取り付けられた状態の除菌装置を示す底面図
【図５】同実施の形態における除菌装置、および、照明装置をカバー部材で覆った状態を示す底面図
【図６】従来例を示す直冷式冷蔵庫の要部斜視図
【図７】他の従来例を示す直冷式冷蔵庫の断面図
【符号の説明】
【００７９】
１００  直冷式冷蔵庫
１０１  断熱箱体（箱本体）
１０２  冷蔵室（貯蔵室）
１０３  冷凍室（貯蔵室）
１０７  断熱扉（扉体）
１０８  断熱扉（扉体）
１１０  冷却器（冷却手段）
１１１  圧縮機
１２０  凹陥部
２００  除菌装置
２０１  担持体
２０２  照射手段
２０３  送風ファン（送風手段）
２０４  脱臭フィルタ（吸着フィルタ）
２０５  基体（流路形成手段）
２０６  カバー部材
２０７  光源
２１１  空気導入口
２１２  空気導出口
３００  照明装置
【図１】
2009030920.tif 000003
【図２】
2009030920.tif 000004
【図３】
2009030920.tif 000005
【図４】
2009030920.tif 000006
【図５】
2009030920.tif 000007
【図６】
2009030920.tif 000008
【図７】
2009030920.tif 000009